(57)【要約】要約課題複雑な繰り出し式よりも簡素なスライド式の構成を持ち、棒状芯材の進退長さを容易、かつ、正確に調節できるメークアップ用具を提供する。解決手段スライド式メークアップ用具について、ケース１１を棒状芯材１６の突き出し方向に沿って二分し、かつ、二分されたものの一方と他方を摺動可能に組み合わせた一対のケース部材１２、１３と、棒状の芯材をその軸方向へ進退可能に配置するために、二分された上記ケース部材の内面にそれぞれ形成した摺動溝１８、１９と、上記摺動溝に沿って移動可能、かつ、芯材をその基端部にて保持した芯材保持体１７と、一方のケース部材により芯材を押し出すとともに、押し出された芯材を元の位置へ戻すときに一方のケース部材と芯材とを結合状態とし、芯材を押し出した位置に置き去るときに一方のケース部材と芯材とを非結合状態とする結合手段２０とから構成する。選択図          図２
2014207869.tif 000002
【特許請求の範囲】
【請求項１】
メークアップに用いる棒状の芯材を使用時にケースから進退可能にする構成を備えたスライド式メークアップ用具であって、
ケースを棒状芯材の突き出し方向に沿って二分し、かつ、二分されたものの一方と他方を摺動可能に組み合わせた一対のケース部材と、
棒状の芯材をその軸方向へ進退可能に配置するために、二分された上記ケース部材の内面にそれぞれ形成した摺動溝と、
上記摺動溝に沿って移動可能、かつ、芯材をその基端部にて保持した芯材保持体と、
一方のケース部材により芯材を押し出すとともに、押し出された芯材を元の位置へ戻すときに一方のケース部材と芯材とを結合状態とし、芯材を押し出した位置に置き去るときに一方のケース部材と芯材とを非結合状態とする結合手段とから成る
スライド式メークアップ用具。
【請求項２】
結合手段は、芯材保持体に形成された芯材の軸方向と交差する方向の第１結合孔と、ケース部材の一方に形成され、芯材保持体が摺動溝奥にあるときに通孔と通じ合う位置に来る第２結合孔と、上記第１、第２結合孔の内部にて移動可能に設けた結合ピンとから成り、結合ピンは第１結合孔の長さよりは短く、第２結合孔の長さよりも長く設定されている
請求項１記載のスライド式メークアップ用具。
【請求項３】
結合手段の移動した位置を外部から把握するために、透明材料によってケースを形成し上記移動を目視可能にするか又は移動位置を示す表示をケースに設けた
請求項１又は２記載のスライド式メークアップ用具。
【請求項４】
芯材保持体は、摺動溝に沿って摺動可能、かつ、任意の位置で停止可能な嵌め合いの関係にあり、上記嵌め合いの抗力が、使用時に芯材に加わる圧力よりも大きく設定されている
請求項１ないし３のいずれかに記載のスライド式メークアップ用具。
【請求項５】
芯材保持体に突部を設け、摺動溝にその突部が移動可能なガイド溝を設けるとともに、ガイド溝の先端を停止部とした芯材抜け止め機構を有する
請求項１ないし４のいずれかに記載のスライド式メークアップ用具。
【発明の詳細な説明】
【技術分野】
【０００１】
本発明は、メークアップに用いる棒状の芯材を使用時にケースから進退可能にする構成を備えたスライド式メークアップ用具に関するものである。
【背景技術】
【０００２】
化粧材として棒状の芯材を有するメークアップ用具には、例えば、アイブロー、アイライナー、リップライナー等があり、広く用いられている。棒状の化粧材はケースに収められ、必要な時に適切な長さだけ繰り出して筆記具のように使用し、使用後はケース内部に収納しておける様になっている。化粧材を移動させる従来の方式は繰り出し式と呼ばれるもので、口紅に用いられているのがその代表的なものといえる。【０００３】
しかし、繰り出し式の場合、化粧材の繰り出しのためのメカニズムが必要になるのは当然のことである。繰り出し機構としては例えばカム機構を用いたものがあり、移動量を正確かつ容易に調節することができるが、安易に採用できるものではない。何故なら繰り出し式メークアップ用具の製造には複雑なシステムも必要であり、また、組み立てコストも高くなり、商品価格を押し上げるという問題につながるからである。【０００４】
先行技術調査により見出されたものに実公昭３２−１５６４８号がある。これは内筒の端部を押し込むことで押し開き部を弾性挟持板に当て、先が筆になっている軸を露出させるものである。しかし、この構造は筆の出没どちらかを選択するのみで、露出量を調節する発想がない。また、実公昭５０−３５９０２号は先細状切欠溝を持つホルダーにメーキャップ棒を保持させ、突条により切欠溝を押し広げ、メーキャップ棒を押し出す構成である。故に、メーキャップ棒を押し出す操作がやや容易になるとしても、部品形状が特殊であり、部品点数も多くなるという問題がある。【０００５】
【特許文献１】実公昭３２−１５６４８号
【特許文献２】実公昭５０−３５９０２号
【発明の開示】
【発明が解決しようとする課題】
【０００６】
本発明は前記の実情に鑑みてなされたもので、その課題は、複雑な繰り出し式よりも簡素なスライド式の構成を持ち、棒状芯材の進退長さを容易、かつ、正確に調節できるようにすることである。また、本発明の他の課題は、低コストで製造可能であり、また、使用し易いスライド式メークアップ用具を提供することである。
【課題を解決するための手段】
【０００７】
前記の課題を解決するため、本発明は、メークアップに用いる棒状の芯材を使用時にケースから進退可能にする構成を備えたスライド式メークアップ用具について、ケースを棒状芯材の突き出し方向に沿って二分し、かつ、二分されたものの一方と他方を摺動可能に組み合わせた一対のケース部材と、棒状の芯材をその軸方向へ進退可能に配置するために、二分された上記ケース部材の内面にそれぞれ形成した摺動溝と、上記摺動溝に沿って移動可能、かつ、芯材をその基端部にて保持した芯材保持体と、一方のケース部材により芯材を押し出すとともに、押し出された芯材を元の位置へ戻すときに一方のケース部材と芯材とを結合状態とし、芯材を押し出した位置に置き去るときに一方のケース部材と芯材とを非結合状態とする結合手段とから構成するという手段を講じたものである。【０００８】
本発明のメークアップ用具は、スライド式であることを特徴とする。スライド式としながら、特に、棒状芯材の進退長さを容易、かつ、正確に調節できるように、使用し易く工夫し、所期の目的を達成するものである。そのために、本発明のメークアップ用具は、ケースを棒状芯材の突き出し方向に沿って二分し、かつ、二分されたものの一方と他方を摺動可能に組み合わせた一対のケース部材を有し、ケース部材相互のスライドによって棒状芯材の出し入れを行なう。【０００９】
摺動可能に組み合わされた一対のケース部材の内面にはそれぞれ摺動溝が形成され、その摺動溝には芯材をその基端部にて保持した芯材保持体が、摺動溝に沿って移動可能に設けられる。芯材保持体は、一方のケース部材と結合可能な結合手段の一部を構成する。この結合手段は、一方のケース部材により芯材を押し出すとともに、押し出された芯材を元の位置へ戻すときに一方のケース部材と芯材とを結合状態とし、芯材を押し出した位置に置き去るときに一方のケース部材と芯材とを非結合状態とする。【００１０】
結合手段は、例えば、芯材保持体に形成された芯材の軸方向と交差する方向の第１結合孔と、ケース部材の一方に形成され、芯材保持体が摺動溝奥にあるときに通孔と通じ合う位置に来る第２結合孔と、上記第１、第２結合孔の内部にて移動可能に設けた結合ピンとから成り、結合ピンは第１結合孔の長さよりは短く、第２結合孔の長さよりも長く設定することができる。第１結合孔より短く、第２結合孔より長くすることで、結合ピンは第１結合孔のみにある状態と、第１、第２両結合孔にかかる状態を取り得ることになる。【００１１】
また、結合手段の移動した位置を外部から把握するために、透明材料によってケースを形成し上記移動を目視可能にするか、又は移動位置を示す表示をケースに設けることができる。透明ケースは、結合ピンの移動を目視できるので、本発明の装置として好ましいものである。また、不透明なケースでも、矢印のような表示を付けることで結合ピンの間接的に位置を示すことができる。【００１２】
芯材保持体は、摺動溝に沿って摺動可能、かつ、任意に位置で停止可能な嵌め合いの関係にあり、上記嵌め合いにおける抗力を、使用時に芯材に加わる圧力よりも大きく設定することは望ましい構成である。この構成は、芯材を押し出して使用するときに、肌から範力として加えられる圧力に耐えるために必要なものであるが、要は、メークアップ用具の使用中に芯材とその保持体が押し戻されなければ良い。故に、芯材保持体と摺動溝との間に、摩擦抵抗を高めたり、微細な噛み合い等を生じたりするようにしても押し戻しに対する抗力として利用できる。【００１３】
また、本発明のスライド式メークアップ用具では、芯材抜け止め機構として、芯材保持体に突部を設け、摺動溝にその突部が移動可能なガイド溝を設けるとともに、ガイド溝の先端を停止部とすることが望ましい。この機構により、ケースを押し出し過ぎて芯材等が抜け落ちてしまうという事態を防ぐことができる。
【発明の効果】
【００１４】
本発明は以上のように、複雑な繰り出し式よりも簡素なスライド式の構成を持ち、ケース部材と芯材とを結合状態又は非結合状態とする移動型の結合手段を有するので、棒状芯材の進退長さを容易、かつ、正確に調節できるようにすることができるという効果を奏する。また、本発明のものは簡素な構成であるので低コストで製造可能であり、また、一方のケース部材の出し入れで芯材の進退量を制御できるものであるから使用し易いスライド式メークアップ用具を提供することができる。
【発明を実施するための最良の形態】
【００１５】
以下、図示の実施形態を参照して本発明を詳細に説明する。図１、図２は本発明に係るスライド式メークアップ用具１０の例１に関するもので、ケース１１は、棒状芯材１６の突き出し方向に沿って二分した一対のケース部材１２、１３から成っており、二分されたものの一方（１２）と他方（１３）を摺動可能に組み合わされている。上記摺動構成は二分された面に設けられ、図示の実施形態では一方のケース部材１２の面にアリ足型の凸状部分１４を形成し、他方のケース部材１３の面にアリ溝型の凹状部分１５を形成し（図３Ｆ参照）、摺動可能な構造になっている。【００１６】
実施形態の場合、図３Ａ及びＦを参照すると、あたかもケース１１の上部の一部を切り取って形成したかのように、一方のケース部材１２の方が他方のケース部材１３よりも小さく設定されていることが分かる。そのため、他方のケース部材１３の切り取られずに残された部分１３ａは、一方のケース部材１２を操作する際に他方のケース部材１３の保持に寄与する。この部分１３ａの切り取り部には端面１３ｂがあり、この端面１３ｂは一方のケース部材１２を戻すときに元の位置を規定する面となる。また、一方のケース１２の外面には、操作のための指当て１２ａが設けられている。図示の指当て１２ａは外面の凹みであるが、これを突起に変えても良いのは勿論である。【００１７】
棒状の芯材１６は、例１の実施形態ではアイブロー用等として示しており、芯材１６はその基端部にて芯材保持体１７に保持されている（図３Ｃ参照）。芯材保持体１７は、後述する摺動溝１８、１９と嵌合して適度の抗力を生じる断面形状に形成され、その一端側に保持部１７ａを有し、保持部１７ａに芯材１６の端部を嵌め込んで保持させたものである。また、芯材保持体１７は、その他端側に結合手段を構成する第１結合孔２１を有するが、これについては結合手段２０の項において詳細に説明する。【００１８】
前述の摺動溝１８、１９は、芯材１６と芯材保持体１７をその軸方向へ進退可能に配置するために、二分された上記ケース部材１２、１３の内面にそれぞれ形成され、芯材保持体１７に取り付けた芯材１６のほぼ全体が収まる。芯材保持体１７は、摺動溝１８、１９に沿って摺動可能なように、摺動溝１８、１９と嵌り合える断面形状を有し、かつまた、任意に位置で停止可能な状態を得るために、摺動溝１８、１９と嵌め合いの関係にあり、上記嵌め合いにおける抗力は、使用時に芯材１６に加わる圧力よりも大きく設定される。【００１９】
本発明では、一方のケース部材１２により芯材１６を押し出すとともに、押し出された芯材１６を元の位置へ戻すときに一方のケース部材１２と芯材１６とを結合状態とし、芯材１６を押し出した位置に置き去るときに一方のケース部材１２と芯材１６とを非結合状態とする移動型の結合手段２０を備えている。本発明の結合手段２０は、一方のケース部材１２と芯材１６との結合状態で芯材１６を進退両方向へ移動させる。一方、一方のケース部材１２の摺動溝１８の端部１８ａでも芯材保持体１７を押し得るため、非結合状態でも前進は可能である（図３参照、但し、後退させることはできない。）。なお、一方のケース部材１２は、後退させたときに基端部１２ｂにて他方のケース部材１３の端面１３ｂと当たり得るが、それが元位置に戻った状態である。【００２０】
結合手段２０は、芯材保持体１７に形成された芯材１６の軸方向と交差する方向の第１結合孔２１と、ケース部材の一方１２に形成され、芯材保持体１７が摺動溝奥にあるときに第１結合孔２１と通じ合う位置に来る第２結合孔２２と、上記第１、第２結合孔２１、２２の内部にて移動可能に設けた結合ピン２３とから成る（図３Ｂ、Ｃ参照）。結合ピン２３は、第２結合孔２２の側に寄った位置の芯材保持体１７に配置され（図６Ｃ参照）、また、結合ピン２３の寸法は、第１結合孔２１の長さよりは短く、第２結合孔２２の長さよりも長く設定されている。なお、芯材保持体１７に形成した第１結合孔２１と、一方のケース部材１２に設けた第２結合孔２２とは、原位置において一致しなければならない。【００２１】
さらに、本発明のスライド式メークアップ用具１０は、芯材抜け止め機構を有している（特に、図３Ｄ、図３Ｅ参照）。図示の芯材抜け止め機構は、芯材保持体１７に突部２９を設け、その突部２９が移動可能なガイド溝３０を摺動溝１９に設けるとともに、ガイド溝３０の先端に立ち上がる壁を停止部３０ａとして構成されている。このような芯材抜け止め機構により、例えば、手探りで操作しても芯材１６及び一方のケース部材１２の抜け落ちが防止されるので、安心して使うことができる。【００２２】
このように構成された例１のスライド式メークアップ用具１０の使用法について、図４〜図６を参照して説明する。なお、実施形態のものは、結合手段２０の移動した位置を外部から把握するために、上記移動を目視可能にする透明材料によってケース１１が形成されているものとする。図４は、例１のスライド式メークアップ用具１０が使用されていない状態を示しており、芯材保持体１７に形成した第１結合孔２１と、一方のケース部材１２に設けた第２結合孔２２とは原位置にある。【００２３】
原位置において、第１結合孔２１と、第２結合孔２２との位置は一致しており、第１結合孔２１が上位に第２結合孔２２が下位になるようにメークアップ用具１０を置くことにより、結合ピン２３が重力によって移動し、その下端が第２結合孔２２に入り込んで一方のケース部材１２と芯材保持体１７とを結合状態とする。従って、一方のケース部材１２を押し出し、前進させることで芯材１６（芯材保持体１７）もそれとともに移動する。図５は一方のケース部材１２が芯材１６とともに押し出された状態を示す。【００２４】
このような芯材１６を押し出した位置に置き去るときには、第２結合孔２２が上位に、第１結合孔２１が下位になるように結合手段２０の態勢を上下逆に変更し、結合ピン２３の重力移動により第２結合孔２２から脱しさせ、一方のケース部材１２と芯材保持体１７とを非結合状態とする（図６参照）。そして、この状態を保って一方のケース部材１２を後退させることで、非結合状態にある芯材保持体１７を前記押し出し位置に置き去ることができる。図６は、芯材１６を押し出した状態を示すが、その進退量は指当て１２ａの操作により容易に加減することができる。【００２５】
芯材１６の前進を、一方のケース部材１２と芯材保持体１７の結合状態で行う上記に加えて、一方のケース部材１２と芯材保持体１７とが非結合状態にあっても、一方のケース部材１２の摺動溝１８の端部１８ａで芯材保持体１７を押すことにより、芯材１６（芯材保持体１７）を移動させることができるのは前記のとおりである。このようにすると、任意の長さ芯材１６を押し出したあと、一方のケース部材１２を元に戻すだけで芯材１６を押し出し位置に置き去ることができるので、操作がより容易になる。【００２６】
上記実施形態の例１では、芯材１６をただ１個有するスライド式メークアップ用具１０について説明した。しかし、本発明によれば、芯材１６を２個有するスライド式メークアップ用具２４を提供することもできるので、それを例２として説明する。図７から明らかであるように、例２のスライド式メークアップ用具２４は、１個の細長いケース２５を有し、その中央部から前後にそれぞれ一方のケース部材２６ａ、２６ｂを設けるとともに、他方のケース部材２７を前後一体として有している。【００２７】
よって、例２のスライド式メークアップ用具２４は、例１のスライド式メークアップ用具１０を２個結合し一体化したものに相当する。なお、スライド式メークアップ用具として機能するための構成要素は前述した例１のものと同じで良く、よって、詳細な説明は省略する。例２の場合、前後の芯材２８ａ、２８ｂを有するので、異なる二色の芯材色を選択し、使用することが可能である。その際、前後の芯材２８ａ、２８ｂを同時に使用するためには、一方のケース部材２６ａ、２６ｂと芯材２８ａ、２８ｂとを結合状態とする、第２結合孔２２を２個共、同一の側に並べて設ければ操作がより容易である。【００２８】
このように構成されている本発明の例１、例２の実施形態によれば、ケース１１の態勢を変えることで、結合ピン２３を重力移動させ、一方のケース部材１２、２６ａ、２６ｂと芯材１６（芯材保持体１７）を、結合状態にも、また、非結合状態にも設定することができる。そして、一方のケース部材１２、２６ａ、２６ｂを押し出す量は、摺動溝１８、１９に沿って摺動可能、かつ、任意に位置で停止可能な嵌め合いの関係にある芯材保持体１７の抗力より大きな力を加えれば、加減することができるので操作も容易である。
【図面の簡単な説明】
【００２９】
【図１】本発明に係るスライド式メークアップ用具の例１を示す斜視図である。
【図２】同上における芯材の前進状態を示す説明図である。
【図３】同じく例１に関するもので、Ａは一方のケース部材の側面図、Ｂはその平面透視図、Ｃは芯材の平面図、Ｄは同じく芯材の側面図、Ｅは他方のケース部材の平面図、Ｆはその側面図、Ｇは例１のスライド式メークアップ用具を示す端面図である。
【図４】同じく例１の使用状態を示すもので、Ａは平面図、Ｂは側面図、Ｃは部分断面図である。
【図５】同じく一方のケース部材を前進させた状態を示すもので、Ａは平面図、Ｂは側面図、Ｃは部分断面図である。
【図６】同じく一方のケース部材を後退させた状態を示すもので、Ａは平面図、Ｂは側面図、Ｃは部分断面図である。
【図７】本発明に係るスライド式メークアップ用具の例２を示す斜視説明図である。
【符号の説明】
【００３０】
１０、２４  スライド式メークアップ用具
１１、２５  ケース
１２、２６ａ、２６ｂ  一方のケース部材
１３、２７  他方のケース部材
１４  凸状部分
１５  凹状部分
１６、２８ａ、２８ｂ  芯材
１７  芯材保持体
１８、１９  摺動溝
２０  結合手段
２１  第１結合孔
２２  第２結合孔
２３  結合ピン
２９  突部
３０  ガイド溝
【図１】
2014207869.tif 000003
【図２】
2014207869.tif 000004
【図３】
2014207869.tif 000005
【図４】
2014207869.tif 000006
【図５】
2014207869.tif 000007
【図６】
2014207869.tif 000008
【図７】
2014207869.tif 000009
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
メークアップに用いる棒状の芯材を使用時にケースから進退可能にする構成を備えたスライド式メークアップ用具であって、
ケースを棒状芯材の突き出し方向に沿って二分し、かつ、二分されたものの一方と他方を摺動可能に組み合わせた一対のケース部材と、
棒状の芯材をその軸方向へ進退可能に配置するために、二分された上記ケース部材の内面にそれぞれ形成した摺動溝と、
上記摺動溝に沿って移動可能、かつ、芯材をその基端部にて保持した芯材保持体と、
一方のケース部材により芯材を押し出すとともに、押し出された芯材を元の位置へ戻すときに一方のケース部材と芯材とを結合状態とし、芯材を押し出した位置に置き去るときに一方のケース部材と芯材とを非結合状態とする結合手段とから成る
スライド式メークアップ用具。
【請求項２】
結合手段は、芯材保持体に形成された芯材の軸方向と交差する方向の第１結合孔と、ケース部材の一方に形成され、芯材保持体が摺動溝奥にあるときに第１結合孔と通じ合う位置に来る第２結合孔と、上記第１、第２結合孔の内部にて移動可能に設けた結合ピンとから成り、結合ピンは第１結合孔の長さよりは短く、第２結合孔の長さよりも長く設定されている
請求項１記載のスライド式メークアップ用具。
【請求項３】
結合手段の移動した位置を外部から把握するために、透明材料によってケースを形成し上記移動を目視可能にするか又は移動位置を示す表示をケースに設けた
請求項１又は２記載のスライド式メークアップ用具。
【請求項４】
芯材保持体は、摺動溝に沿って摺動可能、かつ、任意の位置で停止可能な嵌め合いの関係にあり、上記嵌め合いの抗力が、使用時に芯材に加わる圧力よりも大きく設定されている
請求項１ないし３のいずれかに記載のスライド式メークアップ用具。
【請求項５】
芯材保持体に突部を設け、摺動溝にその突部が移動可能なガイド溝を設けるとともに、ガイド溝の先端を停止部とした芯材抜け止め機構を有する
請求項１ないし４のいずれかに記載のスライド式メークアップ用具。
【手続補正２】
【補正対象書類名】明細書
【補正対象項目名】００１０
【補正方法】変更
【補正の内容】
【００１０】
結合手段は、例えば、芯材保持体に形成された芯材の軸方向と交差する方向の第１結合孔と、ケース部材の一方に形成され、芯材保持体が摺動溝奥にあるときに第１結合孔と通じ合う位置に来る第２結合孔と、上記第１、第２結合孔の内部にて移動可能に設けた結合ピンとから成り、結合ピンは第１結合孔の長さよりは短く、第２結合孔の長さよりも長く設定することができる。第１結合孔より短く、第２結合孔より長くすることで、結合ピンは第１結合孔のみにある状態と、第１、第２両結合孔にかかる状態を取り得ることにな
る。
【手続補正３】
【補正対象書類名】明細書
【補正対象項目名】００１８
【補正方法】変更
【補正の内容】
【００１８】
前述の摺動溝１８、１９は、芯材１６と芯材保持体１７をその軸方向へ進退可能に配置するために、二分された上記ケース部材１２、１３の内面にそれぞれ形成され、芯材保持体１７に取り付けた芯材１６のほぼ全体が収まる。芯材保持体１７は、摺動溝１８、１９に沿って摺動可能なように、摺動溝１８、１９と嵌り合える断面形状を有し、かつまた、任意の位置で停止可能な状態を得るために、摺動溝１８、１９と嵌め合いの関係にあり、上記嵌め合いにおける抗力は、使用時に芯材１６に加わる圧力よりも大きく設定される。
【国際調査報告】
2014207869.tif 000010
2014207869.tif 000011